(57)【要約】【課題】部品点数を削減して構成を簡素化および組立て性の向上を図り、引戸が容易に離脱されることを防止することができるようにした引戸の離脱防止装置を提供する。【解決手段】下方に臨んで開放する引戸案内溝２を有し、略水平に設けられる上枠部材３ａと、上方に臨んで突出する引戸案内レール４を有し、上枠部材３ａの下方に間隔をあけて平行に設けられる中桟５ａと、上部６が上枠部材３ａの引戸案内溝２に嵌まり込み、かつ下部７が前記中桟５ａの案内レール４に支持され、案内レール４に沿って移動自在に案内される引戸８とが設けられ、引戸８の下部７にはシリンダー錠９が設けられ、中桟５ａに変位規制部材１１を固定して、シリンダー錠９の上方への変位を拘束して引戸８ａ，８ｂの離脱を阻止する。【選択図】      図１
2004190428.tif 000002
【特許請求の範囲】
【請求項１】
下方に臨んで開放する引戸案内溝を有し、略水平に設けられる上案内部材と、
上方に臨んで突出する引戸案内レールを有し、前記上案内部材の下方に間隔をあけて平行に設けられる下案内部材と、
上部が前記上案内部材の引戸案内溝に嵌まり込み、かつ下部が前記下案内部材の案内レールに支持され、予め定める閉鎖位置と全開位置とにわたって前記案内レールに沿って移動自在に案内される引戸と、
前記引戸の下部に設けられる突起と、
前記下案内部材に設けられ、引戸が閉鎖位置に配置された状態で、前記突起の上方への変位を阻止する押さえ部を有する変位規制部材とを含むことを特徴とする引戸の離脱防止装置。
【発明の詳細な説明】
【０００１】
【発明の属する技術分野】
本発明は、物品陳列ケースなどに設けられる引戸が盗難などの外部からの操作によって容易に外されてしまうことを防止するために好適に実施することができる引戸の離脱防止装置に関する。
【０００２】
【従来の技術】
物品陳列ケースであるたとえばショーケースには、２枚のガラス引戸を有する引違い戸が採用されている。前記２枚のガラス引戸のうち外側に配置される一方のガラス引戸には、盗難防止のためにシリンダー錠が設けられる。前記２枚のガラス引戸は、その上部が上案内部材の引戸案内溝に嵌まり込み、その下部は下案内部材の案内レールに支持される。これらの上案内部材および下案内部材は、アルミニウム合金製の押出し形材からなり、軽量で高い剛性を有する。
【０００３】
前記シリンダー錠は、ガラス引戸の下部である袴とも呼ばれる下框に固定される直円筒状のシリンダ部と、このシリンダ部から外方に突出し、キー溝を有する押圧部とを有し、手指で押圧部をシリンダ部に押し込むことによって、その押圧部に同軸に連結されるロッド部がシリンダ部から反対側、すなわちショーケース内へ向かって突出し、もう一方のガラス引戸の下框に形成された嵌合孔に嵌合して、各ガラス引戸の開閉方向の移動を阻止し、盗難などの外部からの操作によって容易に各ガラス引戸が開放されてしまうことを防止している。また、商品の出し入れするときには、前記キー溝にキーを差し込んで一方向へ回すことによって、押圧部が手前側へ退避して嵌合孔から離脱し、各ガラス引戸のロック状態が解除される。
【０００４】
前述のショーケースは、内側のガラス引戸の下部にシリンダー錠のロッドが嵌り込むための嵌合孔を形成し、手前のガラス引戸の下部にはシリンダ部を埋め込むための取付孔を形成しなければならず、加工に手間を要する。また、３枚以上のガラス引戸を備える場合には、各ガラス引戸の召し合わせ部ごとに前記シリンダー錠を設ける必要がある。しかも、これらのシリンダー錠は、外部から取外されてしまうことを防止するために、ガラス引戸に内側から取り付けなければならず、取付け作業が面倒である。
【０００５】
このような問題を可決するために従来の技術では、各ガラス引戸の下部の背面に係止突部を設けるとともに、下案内部材に揺動板を手前側の前端部が上下動するようにして揺動自在に設ける。この揺動板には、閉鎖位置に配置された各ガラス引戸の係止突部の開放方向下流側（すなわち各係止突部間の内側）に隣接してロック片が設けられ、シリンダー錠のキー操作によって、揺動板の前端部を上下動させ、これに連動して各ロック片を各係止突部の移動経路内に配置してロックし、あるいは各ロック片を各係止突部の移動経路外へ退避させてロック状態を解除することができるようにして、１つのシリンダー錠によって複数のガラス引戸をロックし、かつそのロック状態を解除することができるように構成されている（たとえば、特許文献１参照）。
【０００６】
【特許文献１】
特開平９−１１９２４９号公報
【０００７】
【発明が解決しようとする課題】
前述の従来の技術では、シリンダー錠は１つであるが、シリンダー錠の動作を各ロック片に伝達するために揺動板およびそれに関連して設けられる多数の部材が必要であり、部品点数が多く、組立作業が煩雑であるという問題を有する。また、各ガラス引戸の上部は、上案内部材の引戸案内溝内で上案内部材の天井部との間に隙間を有するとともに、下案内部材は人力によって下方へ押圧されると約２〜３ｍｍ程度のたわみを生じて弾性変形するため、シリンダー錠によって施錠された状態であっても、ガラス引戸を上案内部材および下案内部材間から離脱させることが可能であり、防犯上の安全性の向上が望まれている。
【０００８】
本発明の目的は、部品点数を削減して構成を簡素化および組立て性の向上を図り、引戸が容易に離脱されることを防止することができるようにした引戸の離脱防止装置を提供することである。
【０００９】
【課題を解決するための手段】
請求項１記載の本発明は、下方に臨んで開放する引戸案内溝を有し、略水平に設けられる上案内部材と、
上方に臨んで突出する引戸案内レールを有し、前記上案内部材の下方に間隔をあけて平行に設けられる下案内部材と、
上部が前記上案内部材の引戸案内溝に嵌まり込み、かつ下部が前記下案内部材の案内レールに支持され、予め定める閉鎖位置と全開位置とにわたって前記案内レールに沿って移動自在に案内される引戸と、
前記引戸の下部に設けられる突起と、
前記下案内部材に設けられ、引戸が閉鎖位置に配置された状態で、前記突起の上方への変位を阻止する押さえ部を有する変位規制部材とを含むことを特徴とする引戸の離脱防止装置である。
【００１０】
本発明に従えば、引戸の上部は上案内部材の引戸案内溝に嵌まり込み、引戸の下部は下案内部材の案内レールによって支持され、予め定める閉鎖位置と開放位置とにわたって移動自在に案内される。下案内部材には変位規制部材が設けられ、この変位規制部材には押さえ部が設けられる。また引戸の下部には、突起が設けられる。
【００１１】
前記引戸が閉鎖位置に配置された状態では、変位規制部材の押さえ部によって前記突起の上方への変位が阻止される。これによって下案内部材が下方への押圧力によってたわみを生じて弾性変形しても、この弾性変形した下案内部材に設けられる変位規制部材によって、引戸の上方への変位が阻止され、上案内部材の引戸の上部と、この上部に上方から対向する天井部との間に隙間が存在しても、引戸は上方へ変位させることはできず、引戸が上案内部材および下案内部材間から離脱することが防がれる。
【００１２】
このように下案内部材に変位規制部材を設け、前記突起はシリンダー錠などによって実現することができるので、簡単な構成で確実に引戸の離脱を防止することができる。また下案内部材には変位規制部材を設けるだけでよいので、組立てが容易であり、高い組立て性が達成される。
【００１３】
【発明の実施の形態】
図１は、本発明の実施の一形態の引戸の離脱防止装置１を簡素化して示す斜視図である。本実施の形態の引戸の離脱防止装置（以下、単に離脱防止装置と略記する場合がある）１は、下方に臨んで開放する引戸案内溝２を有し、略水平に設けられる上案内部材である上枠部材３と、上方に臨んで突出する引戸案内レール４を有し、前記上枠部材３の下方に間隔をあけて平行に設けられる下案内部材である中桟５と、上部６が前記上枠部材３の引戸案内溝２に嵌まり込み、かつ下部７が前記中桟５の案内レール４に支持され、予め定める閉鎖位置と全開位置とにわたって前記案内レール４に沿って移動自在に案内される引戸８と、前記引戸８の下部７に設けられる突起であるシリンダー錠９と、前記中桟５に設けられ、引戸８が閉鎖位置に配置された状態で、前記シリンダー錠９の上方への変位を阻止する押さえ部１０を有する変位規制部材１１とを含む。なお、後述の図４〜図７に示す離脱防止装置１の物品陳列装置２１への具体的適用例においては、前記引戸８は外側に配置される一方に引戸８ｂに相当し、前記上枠部材３は背面側に配置される上枠部材３ａに相当し、前記中桟５は背面側に配置される中桟５ａに相当する。
【００１４】
このような離脱防止装置１は、後述の物品展示ケース２１として実現され、盗難などによって引戸８が外されてしまうことを、簡単な構成によって、確実に防止することができる。前記物品展示ケース２１は、本実施の形態では、店舗で商品を販売するために展示するショーケースを想定して説明するが、美術館、博物館、百貨店の展示会場、学校および病院などに設置される、商品以外の物品が展示される物品展示ケースに対しても、離脱防止装置１を好適に実施することができる。
【００１５】
図２は、変位規制部材１１の正面図であり、図３は図２の左方から見た変位規制部材１１の側面図である。前記変位規制部材１１は、短辺の長さＬ１と長辺の長さＬ２との比（Ｌ１：Ｌ２）が１：１．５の矩形の鋼板に、上部寄りに長辺側一側面で開口した切欠き１３が形成され、下部寄りに一対のボルト挿通孔１４ａ，１４ｂが形成された板状体によって実現される。前記短辺の長さＬ１は、たとえば４０ｍｍ〜６０ｍｍに選ばれ、前記長辺の長さＬ２は、たとえば６０ｍｍ〜１２０ｍｍに選ばれ、厚みＴは、２ｍｍ〜５ｍｍ程度である。この変位規制部材１１の材質は、前記鋼板以外の剛性の高い材料、たとえばＦＲＰなどによって代表される繊維強化プラスチックから成ってもよい。このような変位規制部材１１は、前記一対のボルト挿通孔１４ａ，１４ｂが形成される基部１５と、この基部１５と前記押さえ部１０とに一体的に連なる連結部１６とを有する。
【００１６】
図４は、図１〜図３に示される離脱防止装置１が適用された物品陳列ケース２１の背面図であり、図５は図４の左方から見た物品陳列ケース２１の側面図である。前記物品陳列ケース２１は、図４の上下方向である略鉛直な方向に相互に平行に配置される４本の縦枠部材２２ａ〜２２ｄと、各縦枠部材２２ａ〜２２ｄの各上端部を連結する上枠部材３ａ〜３ｄと、各縦枠部材２２ａ〜２２ｄの各下端部を連結する下枠部材２３ａ〜２３ｄと、各縦枠部材２２ａ〜２２ｄの中間部を連結する中桟５ａ〜５ｄと、背面側に配置される引戸８ａ，８ｂと、正面側の上枠部材３ｃと中桟５ｃとの間に配置される正面板２４と、両側面側の上枠部材３ｂ，３ｄと中桟５ｂ，５ｄとの間に配置される側面板２５，２６と、各中桟５ａ〜５ｄと各下枠部材２３ａ〜２３ｄとの間にそれぞれ配置される腰パネル４７ａ〜４７ｄと、各下枠部材２３ａ〜２３ｄの４隅および図４の左右方向である長手方向中央部に設けられるキャスタ４８ａ〜４８ｄ；４８ｅ，４８ｆと、棚板２９，３０，３１と、天板３２とを含む。
【００１７】
前述の正面板２４、各側面板２５，２６、引戸８、各棚板２９，３０，３１および天板３２は、透明なガラスからなる。また前記各腰パネル４７ａ〜４７ｄおよび床パネル３１は、不透光性合成樹脂または化粧合板からなる。このような物品陳列ケース２１は、前記複数のキャスタ４８ａ〜４８ｄ；４８ｅ，４８ｆによって、床３３上に移動自在に安定して支持され、棚板２９，３０および床パネル３１には引戸８を介して収容された複数の商品が乗載されて陳列される。
【００１８】
図６は、図４の切断面線ＶＩ−ＶＩから見た断面図である。前記引戸８は、２枚の引戸８ａ，８ｂからなる引違い戸によって実現される。背面側に配置される上枠部材３ａの引戸案内溝２は、２つの引戸案内溝２ａ，２ｂによって構成され、前述の各引戸８ａ，８ｂの上部が部分的に下方から挿入して保持される。また、背面側の中桟５ａの案内レール４は、２つの引戸案内レール４ａ，４ｂからなり、各引戸８ａ，８ｂの下部が支持される。
【００１９】
各引戸８ａ，８ｂは、引戸ガラス２５ａ，２５ｂと、各引戸ガラス２５ａ，２５ｂの下端部が嵌着される袴部材２６ａ，２６ｂと、各袴部材２６ａ，２６ｂに図６の左右方向である水平な回転軸線まわりに回転自在に設けられ、前記引戸案内レール４ａ，４ｂに支持される各複数の戸車２７ａ，２７ｂとを有する。各袴部材２６ａ，２６ｂは、アルミニウム合金の押出し形材からなる。図６の右方である外側に配置される一方の引戸８ｂと、図６の左方である内側に配置される他方の引戸８ａとは、各縦枠部材２２ａ〜２２ｂに当接する閉鎖位置に配置された状態で、図６の左右方向である厚み方向に重なった召し合わせ部２８（図４参照）を形成する。この召し合わせ部２８において、外側に配置される一方の引戸８ｂの袴部材２６ｂには、前記シリンダー錠９が設けられる。また、前記召し合わせ部２８において、外側に配置される一方の袴部材２６ｂには、後述のロッド部３３が挿通する円形の挿通孔３９ｂが形成され、内側に配置される他方の引戸８ａの袴部材２６ａには、円形の嵌合孔３９ａが形成される。
【００２０】
前記シリンダー錠９は、一方の引戸８ｂの袴部材２６ｂに固定される直円筒状のシリンダ部３１と、このシリンダ部３１から外方に突出し、キー溝を有する押圧部３２とを有し、手指で押圧部３２をシリンダ部３１内に押し込むことによって、その押圧部３２に同軸に連結されるロッド部３３がシリンダ部３１から反対側、すなわち図６の左方である内方へ向かって突出し、他方の引戸８ａの袴部材２６ａに形成された前記嵌合孔３９ａに嵌合して、各引戸８ａ，８ｂの開放方向Ａ１および閉鎖方向Ａ２の移動を阻止する。また、商品の出し入れするときには、前記キー溝にキーを差し込んで一方向へ回すことによって、押圧部３２が図６の右方である手前側へ退避して前記嵌合孔２９から離脱し、各引戸８ａ，８ｂのロック状態が解除される。
【００２１】
このようなシリンダー錠９の前記シリンダ部３１は、各引戸８ａ，８ｂが閉鎖された状態で、前述の変位規制部材１１の切欠き１３内を挿通し、押さえ部１０が上方から接触してシリンダー錠９、したがって一方の引戸８ｂが上方へ変位してしまうことが防止される。前記切欠き１３は、引戸８ｂの開放を許容するため、開放方向Ａ１に臨んで開口している。
【００２２】
図７は、ボルト３５を拡大して示す斜視図である。前記変位規制部材１１は、背面側の中桟５ａの長手方向中央部と、一方に引戸８ｂの閉鎖方向Ａ２下流側に配置される縦枠部材の長手方向一端部とに、各複数（本実施の形態では２）のボルト３５，３６によって固定される。ボルト３５は、略円錐台状の頭部５０と、この頭部５０に連なる軸部５１とを有する。頭部５０には、ねじ締め用特殊工具の掛合部を嵌合させることができる、たとえば六角状の掛合溝５２が形成され、この掛合溝５２の中央部には、市販の汎用工具、たとえば六角ドライバの掛合部では嵌合させることができないように、ピン５３が形成される。前記軸部５１には外ねじ５４が刻設される。軸部５１は、変位規制部材１１の基部１５の各ボルト挿通項１４ａ，１４ｂを挿通し、図６に示される固定ボルト５５によって中桟５ａに裏側から固定された補助部材５６のねじ孔に螺着される。保持部材５６は、中桟５ａに差し込まれた凹状断面を成す取付部材５８に溶接などの接合手段によって固定され、この取付部材５８が前記固定ボルト５５によって中桟５ａに固定される。もう一方のボルト３６もまた、前述のボルト３５と同様な構成を有する。
【００２３】
以上のように構成される本実施の形態によれば、引戸８ｂの上部は上枠部材３ｂの引戸案内溝に嵌まり込み、引戸の下部は中桟の案内レールによって支持され、予め定める閉鎖位置と開放位置とにわたって開閉方向Ａ１，Ａ２に移動自在に案内される。背後側の中桟５ａには、変位規制部材１１が設けられ、この変位規制部材１１には、押さえ部１０が設けられる。また、引戸８ｂの下部には、シリンダー錠９が設けられる。前記引戸８ｂが閉鎖位置に配置された状態では、変位規制部材１１の押さえ部１０によって、前記シリンダー錠９の上方への変位が阻止される。
【００２４】
このような構成によって、中桟５ａが下方への押圧力によってたわみを生じて弾性変形しても、この弾性変形した中桟５ａに設けられる変位規制部材１１によって、引戸８ｂの上方への変位が阻止され、上枠部材３ａの引戸８ｂの上部６と、この上部６に上方から対向する天井部６０との間に隙間６１が存在し、さらに中桟５ａと腰パネル４７ａとの間に隙間６２が存在しても、各引戸８ａ，８ｂを上方へ変位させることはできず、引戸８ａ，８ｂが上枠部材３ａおよび中桟間５ａから離脱することが防がれ、盗難などに対する安全性を向上することができる。
【００２５】
このように中桟５ａに変位規制部材１１を設け、前記突起としてのシリンダー錠９を利用して、引戸８ｂを中桟５ａに対して上方へ変位することができないようにしたので、簡単な構成で確実に各引戸８ａ，８ｂの離脱を防止することができる。また中桟５ａには変位規制部材１１を設けるだけでよいので、組立て作業が容易であり、高い組立て性を達成することができる。
【００２６】
本発明の実施のさらに他の形態では、前記シリンダー錠９に代えてその他の構成、たとえば引戸８ｂの袴部材２６ｂに溶接などによって接合されて突出する直円柱状の棒状体であってもよい。
【００２７】
本発明は、上述の物品陳列ケースだけでなく、その他の引戸を用いる収納設備、たとえば書棚などであってもよく、また引戸は上記の引違い戸だけでなく、片引き戸に対しても本発明を好適に実施することができる。
【００２８】
【発明の効果】
請求項１記載の本発明によれば、引戸が閉鎖位置に配置された状態では、変位規制部材の押さえ部によって突起の上方への変位が阻止され、下案内部材が下方への押圧力によってたわみを生じて弾性変形しても、この弾性変形した下案内部材に設けられる変位規制部材によって、引戸の上方への変位が阻止され、引戸が上案内部材および下案内部材間から離脱することが防がれる。
【００２９】
このように下案内部材に変位規制部材を設け、前記突起はシリンダー錠などによって実現することができるので、簡単な構成で確実に引戸の離脱を防止することができる。また下案内部材には変位規制部材を設けるだけでよいので、組立てが容易であり、高い組立て性が達成される。
【図面の簡単な説明】
【図１】本発明の実施の一形態の引戸の離脱防止装置１を簡素化して示す斜視図である。
【図２】変位規制部材１１の正面図である。
【図３】図２の左方から見た変位規制部材１１の側面図である。
【図４】図１〜図３に示される離脱防止装置１が適用された物品陳列ケース２１の背面図である。
【図５】図４の左方から見た物品陳列ケース２１の側面図である。
【図６】図４の切断面線ＶＩ−ＶＩから見た断面図である。
【図７】ボルト３５を拡大して示す斜視図である。
【符号の説明】
１  引戸の案内装置
２  引戸案内溝
３ａ〜３ｄ  上枠部材
４  引戸案内レール
５ａ〜５ｄ  中桟
６  上部
７  下部
８ａ，８ｂ  引戸
９  シリンダー錠
１０  押さえ部
１１  変位規制部材
２２ａ〜２２ｄ  縦枠部材
２３ａ〜２３ｄ  下枠部材
２４  正面板
２５，２６  側面板
２９，３０  棚板
３１  床パネル
３２  天板
２５ａ，２５ｂ  引戸ガラス
２６ａ，２６ｂ  袴部材
３１  シリンダ部
３２  押圧部
３３  ロッド部
３５，３６  ボルト
３９ａ，３９ｂ  嵌合孔
４７ａ〜４７ｄ  腰パネル
【図１】
2004190428.tif 000003
【図２】
2004190428.tif 000004
【図３】
2004190428.tif 000005
【図４】
2004190428.tif 000006
【図５】
2004190428.tif 000007
【図６】
2004190428.tif 000008
【図７】
2004190428.tif 000009